(57)【要約】【課題】  限られた遊技機内のスペースに余裕をもって取り付けることが可能な遊技機用の表示装置を提供すること。【解決手段】  表示装置（１）は、開口部が形成してある仕切板と、図柄が形成してある透光板と、透光板を回転させるモータと、透光板に光を入射するＬＥＤ群と、を備えている。ＬＥＤから発された光は、図柄を成す凹部において拡散し、その結果、透光板上に図柄が浮かび上がるようになっている。透光板が回転している間及び停止したときに、表示装置は、仕切板の開口部（２０ａ）から、透光板（３ａ）の図柄を表示する。また、開口部（２０ｂ）から、透光板（３ａ）を透して透光板（３ｂ）の図柄を表示する。さらに、開口部（２０ｃ）から、透光板（３ａ）（３ｂ）を透して透光板（３ｃ）の図柄を表示する。表示装置を、リールの代わりに遊技機において用いることにより、遊技機の筐体内に新たに余裕スペースを生じさせることが可能になる。【選択図】  図４
2005080727.tif 000002
【特許請求の範囲】
【請求項１】
表示方向に面する表示面と、当該表示面とは反対側に位置する背面と、当該表示面と当該背面との間に位置する端面と、を有する少なくとも１つの透光板と、
当該透光板の表示面の表示方向前方に配してある仕切板と、
当該仕切板を厚み方向に貫通する少なくとも１つの開口部と、
当該透光板を、当該仕切板と平行な方向に移動させるための駆動手段と、
当該透光板の少なくとも移動後において、当該端面を介して当該透光板内部に光を入射するための光源と、
当該駆動手段を制御するための駆動制御手段と、
当該光源を制御するための光源制御手段と、を備え、
当該透光板の表示面側及び／又は背面側には、当該透光板の移動に伴い当該開口部から選択的に臨むことが可能な図柄群が形成してあり、
当該図柄群を構成する各図柄が、当該端面を介して入射してきた光を拡散させるための少なくとも１つの凹部から構成してある
ことを特徴とする遊技機に用いる表示装置。
【請求項２】
前記透光板が、厚み方向に重なる同形状の個別透光板群により構成してあり、
当該個別透光板群を構成する各個別透光板には、前記図柄を構成する個別図柄群が形成してあり、
前記駆動手段が、当該各個別透光板を、個別に移動させるための個別駆動手段群により構成してあり、
前記光源が、当該個別透光板群を構成する各個別透光板に対応した個別光源群により構成してあり、
前記光源制御手段が、当該個別図柄群を構成する各個別図柄のうち前記開口部に臨む個別図柄方向にのみ光を入射するように当該個別光源群を制御可能に構成してある
ことを特徴とする請求項１記載の遊技機に用いる表示装置。
【請求項３】
前記各個別透光板が、円形状に形成してあり、
前記各個別駆動手段が、当該個別透光板を周方向に回転移動させるように構成してある
ことを特徴とする請求項２記載の遊技機に用いる表示装置。
【請求項４】
前記各個別透光板が、外端面と内端面とを有するドーナツ形状に形成してあり、
前記各個別駆動手段が、当該内端面に固定したホイールと、当該ホイールを回転自在に支持する固定軸と、当該外端面を介して当該個別透光板を回転駆動するための回転機構と、から構成してあり、
当該ホイールが、前記各個別光源を支持可能に、かつ、当該内端面の一部を当該各個別光源に対して露出可能に構成してある
ことを特徴とする請求項３記載の遊技機に用いる表示装置。
【発明の詳細な説明】
【技術分野】
【０００１】
この発明は、スロットマシン、パチスロ、パロット(登録商標)とも呼ばれるパチンコ機とスロットマシンを組み合わせたような遊技機、パチンコ機等の遊技機に用いる表示装置に関するものである。
【背景技術】
【０００２】
従来から、スロットマシンやパチンコ機等の遊技機においては、図柄を表示するための手段として、予め複数種類の図柄が描かれた円柱状のリール（回胴／ドラム）が利用されている。一般的な遊技機には、このようなリールがたとえば３個設けてあり、各リールは、遊技者の遊技操作に応じて縦方向に回転するように取り付けてある。パチンコ機等の遊技機においては、たとえば、所定の遊技内容が始まると同時に各リールの回転が始まるようになっており、また、リールの回転開始から所定時間経過すると、各リールが順番に所定の図柄位置において停止するようになっている。そして、すべてのリールが停止すると、その時点で遊技者方向を臨む図柄の組合せによって、当選・落選（あるいは、役の成立・非成立）が判断されるようになっている。
【０００３】
しかしながら、上述した遊技機には、以下のような問題がある。すなわち、遊技機の筐体の寸法は、遊技店の限られた遊技スペースを有効利用する必要がある関係から、一般に一定の寸法に限られている場合が多い。したがって、このような遊技機に、上述したリールや他の遊技機用部品等を取り付ける場合には、筐体内の限られたスペースを有効に活用するために、部品の配置やサイズ等に工夫をこらして各種部品を取付けるようになっている。
【０００４】
一方において、遊技機の分野においては、新たな趣向の遊技内容を演出するために、遊技機に新たな部品等を追加的に取り付けることも検討されている。しかしながら、上述したように筐体の寸法は一定の寸法に限られている場合が多く、しかも、筐体内（特に、筐体の上方領域）は、すでにリールやその他の各種部品で満たされている状況にある。それゆえ、このような状況では、遊技機に新たな部品等を追加的に取り付けることは難しい。
【発明の開示】
【発明が解決しようとする課題】
【０００５】
そこで、上述した従来の技術に鑑み、本発明の目的は、限られた遊技機内のスペースに余裕をもって取り付けることが可能な遊技機用の表示装置を提供することにある。
【課題を解決するための手段】
【０００６】
上記の目的を達成するために本発明は、次の構成を備えている。なお、何れかの請求項に係る発明の説明に当たって行う用語の定義等は、その性質上可能な範囲において他の請求項に係る発明にも適用されるものとする。
【０００７】
（請求項１記載の発明の特徴）
請求項１記載の発明に係る遊技機に用いる表示装置（以下、適宜「請求項１の表示装置」という）は、表示方向に面する表示面と、当該表示面とは反対側に位置する背面と、当該表示面と当該背面との間に位置する端面と、を有する少なくとも１つの透光板と、当該透光板の表示面の表示方向前方に配してある仕切板と、当該仕切板を厚み方向に貫通する少なくとも１つの開口部と、当該透光板を、当該仕切板と平行な方向に移動させるための駆動手段と、当該透光板の少なくとも移動後において、当該端面を介して当該透光板内部に光を入射するための光源と、当該駆動手段を制御するための駆動制御手段と、当該光源を制御するための光源制御手段と、を備え、当該透光板の表示面側及び／又は背面側には、当該透光板の移動に伴い当該開口部から選択的に臨むことが可能な図柄群が形成してあり、当該図柄群を構成する各図柄が、当該端面を介して入射してきた光を拡散させるための少なくとも１つの凹部から構成してある。なお、透光板の「移動」には、たとえば、仕切板と平行な方向の直線移動や透光板に対して垂直な軸を中心とする回転移動がある。「少なくとも移動後」とは、仕切板に対する透光板の相対移動が止んだ後において光を入射するという態様を含むことはもちろん、必要であれば、透光板の相対移動が行われている間においても光を入射するという態様も含む趣旨である。
【０００８】
請求項１の表示装置によれば、駆動手段の働きにより、透光板が仕切板と平行な方向に移動する。透光板の移動により開口部に臨む図柄、すなわち、開口部を介して遊技者が見ることのできる図柄が変化するが、その移動の停止位置を制御することにより、開口部に臨む図柄、を任意に選択することができる。駆動手段の制御は、駆動制御手段を介して行う。端面を介して仕切板の中に光源から出た光を入射すると、入射した光は、凹部の働きで拡散する。拡散により凹部の周りが遊技者から見て光って見える。凹部自体が特定の形状をしているのであれば、その特定形状に光って見え、複数の凹部が集合して特定の図柄を表しているのであれば光る個々の凹部の集合体が見える。透光板の移動が、仕切板と平行な方向であって仕切板から離れる方向、すなわち、遊技機筐体の奥行き方向ではないから、表示装置が筐体内部で占める体積（面積）が比較的小さくて済む。このため、限られた遊技機筐体内のスペースに余裕をもって設置することができる。
【０００９】
（請求項２記載の発明の特徴）
請求項２記載の発明に係る遊技機に用いる表示装置（以下、適宜「請求項２の表示装置」という）は、請求項１の表示装置であって、前記透光板が、厚み方向に重なる同形状の個別透光板群により構成してあり、当該個別透光板群を構成する各個別透光板には、前記図柄を構成する個別図柄群が形成してあり、前記駆動手段が、当該各個別透光板を、個別に移動させるための個別駆動手段群により構成してあり、前記光源が、当該個別透光板群を構成する各個別透光板に対応した個別光源群により構成してあり、前記光源制御手段が、当該個別図柄群を構成する各個別図柄のうち前記開口部に臨む個別図柄方向にのみ光を入射するように当該個別光源群を制御可能に構成してある。
【００１０】
請求項２の表示装置によれば、請求項１の表示装置の作用効果に加え、複数の個別透光板群のそれぞれの個別図柄群の組み合わせにより、より多彩な図柄表示を可能とする。重ね合わせたときに遊技者から見て手前に位置する個別透光板の図柄と、その後に位置する個別透光板の図柄との関係は、次の通りである。手前の個別透光板の個別図柄群のうち表示したい図柄を開口部に臨ませるとともに、その後方に位置する個別透光板の個別図柄群のうち表示したい図柄を他の開口部に臨ませる。これは、個別透光板を個別駆動手段により個別に移動させることにより行う。ここで、開口部に臨む図柄方向にのみ光を入射することにより、当該図柄のみが光、同じ個別透光板に形成した他の図柄は光らない。図柄があっても光らなければ、その部分の個別透光板は透明又は半透明のままである。このため、後方の透光板に形成した図柄が前方の個別透光板の光っていない部分を透かして見られる状態になる。ここで、この後方の図柄を光らせるために、その方向にのみ入射した光が、当該図柄を光らせ、これが前方の個別透光板を透けて遊技者の目に届く。遊技者は、前方の図柄と後方の図柄の両者を開口部を介して見ることになる。
【００１１】
（請求項３記載の発明の特徴）
請求項３記載の発明に係る遊技機に用いる表示装置（以下、適宜「請求項３の表示装置」という）は、請求項２の表示装置であって、前記各個別透光板が、円形状に形成してあり、前記各個別駆動手段が、当該個別透光板を周方向に回転移動させるように構成してある。
【００１２】
請求項３の表示装置によれば、請求項２の表示装置の作用効果に加え、個別透光板を、周方向に回転する円形状に形成したので、静止状態の個別透光板の占有体積と回転状態の個別透光板の占有体積とが等しくなる。したがって、たとえば、矩形の個別透光板を回転させる場合と比べると、静止状態にあるときより回転状態にあるときのほうが、占有体積が大きくなるが、このような場合に比べて、円形状の個別透光板であれば、より占有体積を小さくすることができる。
【００１３】
（請求項４記載の発明の特徴）
請求項４記載の発明に係る遊技機に用いる表示装置（以下、適宜「請求項４の表示装置」という）は、請求項３の表示装置であって、前記各個別透光板が、外端面と内端面とを有するドーナツ形状に形成してあり、前記各個別駆動手段が、当該内端面に固定したホイールと、当該ホイールを回転自在に支持する固定軸と、当該外端面を介して当該個別透光板を回転駆動するための回転機構と、から構成してあり、当該ホイールが、前記各個別光源を支持可能に、かつ、当該内端面の一部を当該各個別光源に対して露出可能に構成してある。
【００１４】
請求項４の表示装置によれば、請求項３の表示装置の作用効果に加え、各個別透光板の回転移動が、ホイールを介した固定軸の周りで行われる。個別透光板の回転駆動は、個別透光板の外端面を介して回転機構が行う。ホイールが支持する個別光源は、露出した内端面の一部を介して個別透光板内部に光を投射する。
【発明の効果】
【００１５】
本発明によれば、限られた遊技機内のスペースに余裕をもって取り付けることが可能な遊技機用の表示装置を提供することができる。
【発明を実施するための最良の形態】
【００１６】
次に、各図を参照しながら、本発明の実施の形態について説明する。以下、遊技機の一例としてパチンコ機を挙げ、当該パチンコ機に本発明を適用した場合について説明する。図１は、本発明に係る表示装置を備えたパチンコ機を示す正面図である。図２は、図１に示す表示装置を示す正面図である。図３は、図２に示す表示装置のＸ−Ｘ断面図である（理解を容易にするため、光源となるＬＥＤについては断面図ではなく側面図で示す）。図４は、図１に示す表示装置を示す斜視図である。図５は、図１に示す表示装置が備える透光板の一部（すなわち、手前に位置する第１の個別透光板のみ）を示す正面図である。図６は、表示装置の電気的構成を示すブロック図である。図７は、図１に示すパチンコ機における遊技の流れを示すフローチャートである。図８は、表示装置の第１変形例を図３と同じ方法で示す断面図である。図９は、図８に示す表示装置の固定軸の斜視図である。図１０は、図９に示す固定軸のＹ−Ｙ断面図である。図１１は、表示装置の第２変形例を、図４と同じ方法で示す斜視図である。図１２は、図１１に示す表示装置の平面図である。図１３は、表示装置の第３変形例を、図１２と同じ方法で示す斜視図である。
【００１７】
（パチンコ機の概略構造）
図１を参照しながら説明する。パチンコ機２００は、パチンコ機２００を設置するための設置フレーム２０２と、設置フレーム２０２に対してヒンジ結合した前面フレーム２０３と、前面フレーム２０３の内側に取り付けた遊技盤２０５と、遊技盤２０５を覆うガラス板２０６と、から概ね構成してある。ガラス板２０６の下方には、賞球を貯めるための賞球皿２０７が取り付けてある。また、賞球皿２０７の右下方向には、ハンドル２０９が取り付けてある。ハンドル２０９は、時計回りの方向（図１において矢印で示す方向）に回転可能に構成してあり、遊技者がハンドル２０９を回すことによって、遊技球を遊技盤２０５方向へ発射できるようになっている。
【００１８】
遊技盤２０５の表面の中央部には、複数の図柄を表示するための表示装置１が設けてある。表示装置１の下方には、特定入賞口２１２が設けてある。特定入賞口２１２には、入賞球を検知するための特定入賞球検知センサ２３７（図６参照）が取り付けてある。また、表示装置１の周囲には、上記特定入賞口２１２に加えて、特定入賞口２１２とは別の機能を持たせた一般入賞口２１４が複数設けてある。一般入賞口２１４には、入賞球を検知するための一般入賞球検知センサ２３８（図６参照）が取り付けてある。符合２１６は、後述する抽選機能に基づいて大当たりしたときに所定期間開放する大入賞口を示している。大入賞口２１６への入賞は、大入賞口検知センサ２３９（図６参照）が検知するようになっている。
【００１９】
（表示装置の概略構造）
図２乃至６を参照しながら、説明する。表示装置１は、仕切板２と、個別透光板である第１透光板３ａ、第２透光板３ｂ、第３透光板３ｃと、固定軸５と、個別駆動手段である第１駆動手段７ａ、第２駆動手段７ｂ、第３駆動手段７ｃと、個別光源となる第１ＬＥＤ群８ａ、第２ＬＥＤ群８ｂ、第３ＬＥＤ群８ｃと、検出構造である第１検出構造９ａ、第２検出構造９ｂ、第３検出構造９ｃと、モータ制御プログラム１０１（図６参照）と、ＬＥＤ制御プログラム１０２（図６参照）と、から概ね構成してある。各部材の詳細は、次項以下で説明する。
【００２０】
（仕切板の構造）
仕切板２は、遊技盤２０５を貫通する取付孔２０５ｈ（図１参照）から遊技者を臨むように、すなわち、遊技者から仕切板２が見えるように遊技盤２０５に固定してある。仕切板２には、複数の開口部を厚み方向に貫通させてある。本実施形態では、図２の左から右に向って第１開口部２０ａと、第２開口部２０ｂと、第３開口部２０ｃと、の３つの開口部を形成してあるが、これは、同じに表示しようとする図柄の数に対応させたものである。したがって、表示しようとする図柄が２つであれば開口部も２つに、同じく４つ以上であればそれに合わせた数に、設定することができる。各第１開口部２０ａ，第２開口部２０ｂ及び第３開口部２０ｃは、何れも１個の図柄（後述）を遊技者に表示可能な形状及び大きさに形成してある。そのような表示が可能である限り、どのような形状に形成してもよい。本実施形態における第１開口部２０ａ，第２開口部２０ｂ及び第３開口部２０ｃのそれぞれの形状は、仕切板２の中心から外周に向って広がる略扇状に形成してある。仕切板２は、金属その他の素材により構成することもできるが、本実施形態では、加工が比較的容易であり、かつ、比較的軽量である合成樹脂材により構成した。仕切板２は、後述する透光板を隠すとともに、各開口部を介してしか光が遊技者に届かないようにすることを主目的とする。したがって、仕切板２を構成する合成樹脂材は、不透明又は非透光性のものであることが好ましい。透明又は半透明の合成樹脂材により構成するのであれば、その表面又は裏面に、非透光性のフィルムを貼り付ける等の措置を施しておくとよい。
【００２１】
（透光板の構造）
本実施形態で用いる透光板３は、３枚の個別透光板（第１透光板３ａ、第２透光板３ｂ、第３透光板３ｃ）から構成してある。透光板を１枚だけで構成することもできるが、組み合わせによる、より多彩な表示を行うために複数枚とした。個別透光板を４枚以上とすることもできるが、本実施形態では、一般の遊技機に用いられるリール式表示装置が３個のリールを用いていることから、これに合わせて３枚とした。個別透光板の数は、必要に応じて増減して構わない。
【００２２】
第１透光板３ａと第２透光板３ｂと第３透光板３ｃは、互いに同じ構造に構成してあり、遊技者がいる図３の紙面左から右へ向かって厚さ方向に重ねた状態で配してある。したがって、前述した仕切板２は、第１透光板３ａと遊技者との間に位置することになる。第１透光板３ａと第２透光板３ｂと第３透光板３ｃは、駆動手段（後述）によって個別に周方向に回転させられるようになっている。なお、以下においては、第１透光板３ａについてのみ行い、第１透光板３ａと同じ構造を有する第２透光板３ｂ及び第３透光板３ｃについては、各図に部材番号（同じ数字を用いるとともにａの代わりにｂ又はｃ）を付するにとめ、可能な範囲でそれらの説明を省略する。
【００２３】
（第１透光板の構造）
図３乃至５に示すように、第１透光板３ａ（３ｂ，３ｃ）は、外形がほぼ円形で中央にほぼ円形の貫通孔３１ａ（３１ｂ，３１ｃ）を有するドーナツ形状に形成してある。中央に開口を有するため、第１透光板３ａの端面は、外端面３７ａ（３７ｂ，３７ｃ）と内端面３８ａ（３８ｂ，３８ｃ）とにより構成されている（図３、５参照）。第１透光板３ａを構成する素材は、ほぼ無色透明な合成樹脂が好適であり、本実施形態ではアクリル樹脂を採用した。第１透光板３ａの外径は、仕切板２の外径とほぼ同じに設定してある。このため、図３に示すように、遊技者からは、仕切板２の各開口部２０ａ，２０ｂ，２０ｃを介して部分的にしか第１透光板３ａを、第１透光板３ａを透かして第２透光板３ｂを、第１透光板３ａ及び第２透光板３ｂを透かして第３透光板３ｃを、それぞれ見ることができないようになっている。内端面３８ａには、後述するホイール４ａを嵌め込み固定してある。さらに、外端面３７ａの円周方向全域には、後述する第１駆動手段７ａの一部を構成する第１外ギヤ７８ａ（７８ｂ，７８ｃ）を形成してある。第１外ギヤ７８ａは、硬質の不透明な合成樹脂により構成してある。硬質合成樹脂を用いたのは磨耗しづらくするためであり、不透明としたのは第１透光板３ａの外端面３７ａから光が出ないようするためである（後述）。
【００２４】
図５に示すように、第１透光板３ａの表示面３５ａ（３５ｂ，３５ｃ）側には、「１」「２」「３」「４」「５」「６」「７」「リンゴの絵」という８つの図柄からなる個別図柄群３４ａ（３４ｂ，３４ｃ）を形成してある（図２参照）。図５に示す図柄は一例であって、それら以外の図柄を用いることも可能である。個別図柄群３４ａを成す図柄の数は特に限定されないが、本実施形態では、第１透光板３ａの大きさとの関連から表示可能な大きさであること、各図柄を見る遊技者に不便を感じさせない程度の大きさであること、及び図柄間に適切な距離を設けられることと、などを考慮して８つに設定した。この図柄数は、事情が許す範囲で適宜増減してよい。各図柄は、第１透光板３ａの回転に伴い、開口部２０ａ，２０ｂ，２０ｃの何れを介してでも見ることができる位置に、かつ、第１透光板３ａの周方向に等間隔に配してある。また、各図柄の大きさは、開口部２０ａ，２０ｂ，２０ｃからはみ出さない程度、すなわち、遊技者が全体を見ることのできる程度の大きさに形成してある（図２参照）。
【００２５】
図柄群３４ａを構成する各図柄は、図５に示すように、複数のドット状凹部３４ａｄ（３４ｂｄ，３４ｃｄ）を集合させることにより構成してある。各ドット状凹部３４ａｄは、図３に示すように、ほぼ矩形の縦断面を有している。ドット状凹部３４ａｄを形成したのは、これにより、第１透光板３ａが外端面３７ａ及び内端面３８ａ以外の端面をドット状凹部３４ａｄの周りに形成するためである。このようにして形成した端面から第１透光板３ａ内に入射された光が出てきて拡散するので、ドット状凹部３４ａｄの周りが光って見える。この光又は光の群れが図柄を構成する。他方、図３から理解できるように、ドット状凹部３４ａｄを矩形に形成したことは、ドット状凹部３４ａｄの端面と遊技者の視線をできるだけ平行に保つことにより、その端面、すなわち、ドット状凹部３４ａｄを囲む周壁を遊技者に見えづらくさせるためでもある。端面が見えなければ、第１透光板３ａの厚み方向における透光性にほとんど影響がでないから、遊技者が、第１透光板３ａを透かして第２透光板３ｂを、さらには、第３透光板３ｃを見ることができることになる。逆に端面が光れば、その透光性が阻害されるので、光るドット状凹部３４ａｄ又はこれらにより構成される図柄の背後にある部分が見えづらくなる。そこで、本実施形態では、開口部２０ａ，２０ｂ，２０ｃに臨む、すなわち、表示しようとする図柄以外の図柄方向には光を投射しないように構成したのである。この点については、後で詳しく説明する。なお、多数のドット状凹部３４ａｄを集合させて１つの図柄を構成したのが本実施形態で採用した手法であるが、たとえば、正面から見てリンゴの形をした１つの凹部だけで１つの図柄を構成する手法もある。さらに、ドット状凹部３４ａｄは、遊技者方向に開口させてあるが、これとは逆の遊技者から遠ざかる方向に開口させても構わない。
【００２６】
第１透光板３ａの貫通孔３１ａには、第１透光板３ａと同心状のホイール４ａ（４ｂ，４ｃ）が一体回転可能に取付けてある（図３、５参照）。ホイール４ａは、第１透光板３ａが回転したときに当該第１透光板３ａと一体になって回転することができるように、第１透光板３ａの貫通孔３１ａに同心状に取付けてある。ホイール４ａは、その中央に位置するボス４１ａ（４１ｂ，４１ｃ）と、ボス４１ａ（４１ｂ，４１ｃ）の外周からから放射状に延びる複数のアーム４３ａ（４３ｂ，４３ｃ）と、各アーム４３ａの先端に位置する当接部４５ａ（４５ｂ，４５ｃ）と、を有している。ボス４１ａ（４１ｂ，４１ｃ）には、軸孔４２ａ（４２ｂ，４２ｃ）が形成してあり、この軸孔４２ａには、第１透光板３ａを回転自在に支持する固定軸５を貫通させてある。アーム４３ａは、ボス４１ａの外周に沿って周方向に等間隔に８本配してある。８本としたのは、個別図柄群３４ａの数に合わせたからであり、個別図柄群３４ａの数の増減に合わせて増減してよい。各当接部４５ａの当接面は、第１透光板３ａの内端面３８ａとほぼ同じ曲率の円弧状に形成してあり、これにより、当接面が内端面３８ａと確実に当接して第１透光板３ａからホイール４ａが外れないようにしてある。当接部４５ａと内端面３８ａとの間に接着層を形成したり、固定部材を配したりすることにより、両者の離脱を防止するように構成してもよい。
【００２７】
ホイール４ａは、金属、合成樹脂等の種々の材料から構成することが可能であるが、本実施形態では、合成樹脂から構成してある。回転する第１透光板３ａを停止させるときのオーバーランを極力少なくするために、ホイール４ａはできるだけ軽量であることが好ましい。このような理由から、本実施形態では、合成樹脂を採用した。合成樹脂は、金属と比較して、一般に安価であって、しかも加工が容易であるため、金属などに比べて製造コストが低い点及び加工性の点においても有利である。なお、固定軸５は、第１透光板３ａとともに、第２透光板３ｂ及び第３透光板３ｃをも回転自在に支持するように構成してあり、その一端は、仕切板２の第１透光板３ａ側の面に設けてある支持部材５３に支持させてあり、また、他端は、支持部材５４によって支持させてある。
【００２８】
（駆動手段）
駆動手段は、第１透光板３ａを回転させるための第１駆動手段７ａと、第２透光板３ｂを回転させるための第２駆動手段７ｂ及び第３透光板３ｃを回転させるための第３駆動手段７ｃと、から構成してある。各々が独立して駆動制御手段１０１により制御されるように構成してあるが、構造は３者異ならない。したがって、以下の説明では、第１駆動手段７ａについてだけ説明し、第２駆動手段７ｂ及び第３駆動手段７ｃについては、各図に部材番号（同じ数字を用いるとともにａの代わりにｂ又はｃ）を付するにとめ、可能な範囲でそれらの説明を省略する。
【００２９】
第１駆動手段７ａは、図４に示すように、第１モータ７１ａ（７１ｂ，７１ｃ）と、第１モータ７１ａ（７１ｂ，７１ｃ）の回転を減速させる第１ギヤボックス７５ａ（７５ｂ，７５ｃ）と、第１ギヤボックス７５ａ（７５ｂ，７５ｃ）の出力軸に固定した第１駆動ギヤ７６ａ（７６ｂ，７６ｃ）と、第１駆動ギヤ７６ａ（７６ｂ，７６ｃ）と噛み合う第１アイドルギヤ７７ａ（７７ｂ，７７ｃ）と、第１アイドルギヤ７７ａ（７７ｂ，７７ｃ）と噛み合う第１外ギヤ７８ａ（７８ｂ，７８ｃ）と、から構成してある。この構成により、第１モータ７１ａの回転が、第１ギヤボックス７５ａにより減速されて第１駆動ギヤ７６ａを回転させる。第１駆動ギヤ７６ａの回転は第１アイドルギヤ７７ａを介して第１外ギヤ７８ａに伝達され、これにより、第１透光板３ａを固定軸５の周りで回転させるようになっている。
【００３０】
（ＬＥＤ／光源）
図３及び５に示すように、第１ＬＥＤ群８ａ（８ｂ，８ｃ）は複数のＬＥＤから構成してあり、本実施形態では、個別図柄群３４ａを構成する図柄数と同数（すなわち８個）だけ設けてある。すなわち、１個のＬＥＤが１個の図柄に対応している。これら８個のＬＥＤは、ボス４１の外周面側において、周方向に沿ってそれぞれが隣り合うアーム４３ａ，４３ａ間に位置しており、それぞれの光を発する側が内端面３８ａと向かい合うように配してあり、各ＬＥＤが発した光は、隣り合う当接部４５の間の間隙（内端面３８ａが露出する部分）を通って、第１透光板３ａの内部に入射可能に構成してある。第１ＬＥＤ群８ａを構成する各ＬＥＤは、後述するＬＥＤ制御プログラム１０２のＯＮ／ＯＦＦ制御に応じて、個別に光を発することができるように構成してある。第１ＬＥＤ群８ａを構成する各ＬＥＤの発光色は、図柄を何色に光らせるかにより適宜選択することができる。すべてを同じ色にしてもよいし、一部だけを違う色にしてもよい。
【００３１】
（検出構造）
図３及び５に基づいて説明する。検出構造は、第１透光板３ａに対応する第１検出構造９ａ、第２透光板３ｂに対応する第２検出構造９ｂ及び第３透光板３ｃに対応する第３検出構造９ｃにより構成してある。第２検出構造９ｂ及び第３検出構造９ｃは、何れも第１検出構造９ａと同じ構造を有している。このため以下においては、第１検出構造９ａについてのみ行い、第２検出構造９ｂ及び第３検出構造９ｃについては、各図に部材番号（同じ数字を用いるとともにａの代わりにｂ又はｃ）を付するにとめ、可能な範囲でそれらの説明を省略する。
【００３２】
第１検出構造９ａ（９ｂ，９ｃ）は、第１外ギヤ７８ａ（７８ｂ，７８ｃ）の谷底に設けた一片の第１金属片９３ａ（９３ｂ，９３ｃ）と、第１金属片９３ａ（９３ｂ，９３ｃ）を検出するための第１検出センサ９５ａ（９５ｂ，９５ｃ）と、から構成してある。第１金属片９３ａは、それを第１検出センサ９５ａが検出することにより、第１透光板３ａの個別図柄群３４ａの基準位置を把握して、第１モータ７１ａ及び第１ＬＥＤ群８ａの各ＬＥＤの制御に供するためである。図２及び５に示すように本実施形態では、図柄「７」が仕切板２の第１開口部２０ａから見える位置に来たときの位置を基準位置としてあるが、これ以外の図柄であってもよい。第１検出センサ９５ａは、移動する第１金属片９３ａを非接触で検出可能な近接センサ（磁気センサ）から構成してある。金属片と近接センサの組み合わせとは異なる組み合わせ、たとえば、反射片とフォトセンサの組み合わせなどを適宜用いてもよい。
【００３３】
第１検出構造９ａ（９ｂ，９ｃ）を設けることにより、第１金属片９３ａ（９３ｂ，９３ｃ）を検出することによって、検出時における第１透光板３ａ（３ｂ，３ｃ）の位置を瞬時に把握することがきる。把握することにより、第１透光板３ａを、どれだけ回転させれば所望の図柄を表示可能かを判断することが可能になる。本実施形態では、パチンコ機２００（図１参照）の電源を入れたときに、第１透光板３ａ、第２透光板３ｂ及び第３透光板３ｃが回転し、それぞれの基準位置を検出したときに回転を停止するように設定してある。パチンコ遊技場の開店時において、各パチンコ機の第１透光板３ａ、第２透光板３ｂ及び第３透光板３ｃの回転位置が電源投入により一斉に把握されるようにするためである。
【００３４】
（表示装置の電気的構成）
図６を参照しながら説明する。パチンコ機２００は、その内部に制御部２３１を有し、制御部２３１は、駆動制御手段及び光源制御手段として機能するＣＰＵ２３３と、ＣＰＵ２３３に接続したＲＯＭ２３４及びＲＡＭ２３５により概ね構成してある。ＲＯＭ２３４には、各種のコマンドを格納するコマンドテーブルや表示装置１を含む一連のパチンコ機制御手順を記述した制御プログラムや制御データを格納してあり、ＲＡＭ２３５には、所定のワークエリアを割り当ててある。ＣＰＵ２３３の入力側には、パチンコ機２００が有する特定入賞口２１２への入賞球を検知するための特定入賞球検知センサ２３７と、同じく一般入賞口２１４への入賞球を検知するための一般入賞球検知センサ２３８と、同じく大入賞口２１６への入賞球を検知するための大入賞口検知センサ２３９と、第１検出センサ９５ａ、第２検出センサ９５ｂ及び第３検出センサ９５ｃを接続してある。ＣＰＵ２３３の出力側には、第１モータ７１ａ、第２モータ７１ｂ、第３モータ７１ｃを接続してあり、各モータを個別に回転させ又は停止させられるように構成してある。出力側には、さらに第１ＬＥＤ群８ａ，第２ＬＥＤ群８ｂ及び第３ＬＥＤ群８ｃを接続してあり、それぞれの群を構成する各ＬＥＤを個別にＯＮ／ＯＦＦ制御することができるように構成してある。
【００３５】
（本実施形態の作用）
図１乃至７を適宜参照しながら、表示装置１を備えたパチンコ機２００の作用について説明する。まず、パチンコ機２００の電源を投入すると、第１透光板３ａ，第２透光板３ｂ及び第３透光板３ｃのそれぞれを基準位置（対応する開口部に図柄「７」が臨む位置）に合わせる処理が行われる。この処理においては、電源投入と同時にＣＰＵ２３３が、第１モータ７１ａを駆動させて第１透光板３ａを回転させる。これと同時に、第１ＬＥＤ群８ａに指令信号を送り、第１透光板３ａの回転に伴い仕切板２の第１開口部２０ａに臨むに至った図柄に対応するＬＥＤを点灯させる。回転に伴い、第１検出センサ９５ａが第１金属片９３ａを検出すると、その検出信号を得たＣＰＵ２３３は第１透光板３ａの回転位置、すなわち、基準位置とのズレ角度を算出し、指令信号を送信してそのズレ角度分だけ第１モータ７１ａを回転させて第１透光板３ａを基準位置に移動させる。基準位置に到着した第１透光板３ａは、指令信号に基づいてその位置で停止する。停止した時点で、第１開口部２０ａには、図柄「７」が臨み、その図柄「７」は、対応するＬＥＤの点灯により光って見える。第２透光板３ｂ及び第３透光板３ｃについても、第１透光板３ａと同じ処理を行う。この結果、第１開口部２０ａには第１透光板３ａの図柄「７」が、第２開口部２０ｂには第１透光板３ａを介した第２透光板３ｂの図柄「７」が、さらに、第３開口部２０ｃには第１透光板３ａ及び第２透光板３ｃを介した第３透光板３ｃの図柄「７」が、それぞれ臨み、何れの図柄「７」も各々対応するＬＥＤが照射する光を拡散して光った状態にある（図１参照）。図１に示すように、「７」「７」「７」と揃ったところで、ＣＰＵ２３３は、第１透光板３ａ，第２透光板３ｂ及び第３透光板３ｃの回転位置を把握したことになり、遊技に応じて、各透光板を所望の位置で停止できる状態になる。
【００３６】
次に、図７を中心に、図１乃至６を参照しながら説明する。遊技は、遊技者がパチンコ機２００のハンドル２０９を回転させて、遊技球を遊技盤２０５に発射することから始まる。遊技が始まった後、特定入賞口２１２での入賞が検知されるまでの間は、第１モータ７１ａ、第２モータ７１ｂ及び第３モータ７１ｃのすべては停止したまま、すなわち、図柄「７」「７」「７」を表示した状態である。これらの図柄を光らせるためのＬＥＤは点灯状態にあるが、消灯状態になるように設定してもよい。
【００３７】
この状態においてＣＰＵ２３３は、特定入賞球検知センサ２３７からの入賞信号を待ち続け（Ｓ１）、入賞信号を受けたときに大当たり抽選を行う（Ｓ３）。Ｓ３において行う大当たり抽選では、公知のアルゴリズムを用いて乱数を発生させて抽選を行い、「１／３６０」程度の確率で大当たりか外れかを決定する。大当たり抽選の結果、大当たりであればＳ７へ進む（Ｓ５）。他方、外れであれば、ＣＰＵ２３３は表示装置１に外れ図柄を表示させてスタートへ戻る（Ｓ６）。外れ図柄は、後述する大当たり図柄以外の図柄であればどのような図柄であってもよい。Ｓ７においてＣＰＵ２３３は、大当たり図柄の抽選を行う。大当たり図柄の抽選は、仕切板２の第１開口部２０ａを介して表示する図柄と、同じく第２開口部２０ｂを介して表示する図柄と、同じく第３開口部２０ｃを介して表示する図柄と、の組み合わせを、どのようなものにするかを決定する抽選である。図柄３者の組み合わせは、適宜決定することができるが、本実施形態では、たとえば、「リンゴの絵」「リンゴの絵」「りんごの絵」や「７」「７」「７」のように、同じ図柄を揃えた組み合わせを大当たり図柄としてあり（したがって、揃わない図柄が外れ図柄となる）、３者揃った何れの図柄を表示するかをＳ７で決定するようになっている。Ｓ７において大当たり図柄を決定したら、その決定に係る大当たり図柄を表示装置１に表示させる（Ｓ９）。具体的な大当たり図柄の表示は、ＣＰＵ２３３が第１モータ７１ａ、第２モータ７１ｂ及び７１ｃを各々駆動させて、第１透光板３ａ、第２透光板３ｂ及び第３透光板３ｃを、大当たりに係る図柄を表示可能な角度分だけ回転させ、当該図柄に対応するＬＥＤを点灯させることにより行う。本実施形態では、大当たり表示とともに、大当たりした旨を遊技者に報知するためにスピーカー（図示を省略）を介して効果音を発するように構成してある（Ｓ１１）。効果音による報知とともに、たとえば、表示装置の大当たり表示を点滅させたり、パチンコ機２００の上部に設けてある呼出ランプ（図示を省略）を点滅させたりしてもよい。Ｓ１１において大当たりを遊技者に報知したら、大当たり処理を行う（Ｓ１３）。本実施形態における大当たり処理は、大入賞口２１６を開放させて遊技者に有利な状態を作り出し、入賞球が概ね１０個通過するまで開放状態を継続させるように設定してある。入賞球のカウントは、大入賞口検知センサ２３９の検知信号をカウントすることにより行う。入賞球が概ね１０個通過したところで大入賞口２１６を閉鎖して大当たり処理を完了したら、スタートに戻る。
【００３８】
（本実施形態の第１変形例）
図８乃至１０に基づいて説明する。図８に示す表示装置１Ａが、前述した表示装置１と主として異なるのは、後者が備えていたホイールを前者が備えていない点である。したがって、以下においては、表示装置１Ａが表示装置１と異なる部分についてのみ説明を行い、両者に共通する部分については図３と同じ符合を図８に使用するにとどめ、それらの説明を省略する。すなわち、図８に示す表示装置１Ａが備える第１透光板３ａ，第２透光板３ｂ及び第３透光板３ｃは、各中心孔を貫通した中空の固定軸５´と滑り接触しながら、その周りを回転するように構成してある。第１透光板３ａの中心孔周面には環状溝３ａ１が、第２透光板３ｂの中心孔周面には環状溝３ｂ１が、さらに、第３透光板３ｃの中心孔周面には環状溝３ｃ１が、それぞれ形成してある。
【００３９】
他方、図８乃至１０に示すように、固定軸５´には、中空部と貫通する軸孔５´ａ，軸孔５´ｂ及び軸孔５´ｃが形成してある。軸孔５´ａはＬＥＤ８´ａを部分露出可能に、軸孔５´ｂはＬＥＤ８´ｂを部分露出可能に、さらに、軸孔５´ｃはＬＥＤ８´ｃを部分露出可能に、それぞれ形成してあり、露出したＬＥＤ８´ａは環状溝３ａ１から、同じくＬＥＤ８´ｂは環状溝３ｂ１から、さらに同じくＬＥＤ８´ｃは環状溝３ｃ１から、それぞれ光りを投射可能に構成してある。
【００４０】
ＬＥＤ８´ａ，ＬＥＤ８´ｂ及びＬＥＤ８´ｃの各々は、固定軸５´の中空部内に挿入した細長基板８´ｐ（図１０参照）に搭載してあり、この細長基板８´ｐに形成した導電パターン（図示を省略）を介して制御部２３１と電気的に接続してあり、制御部２３１の制御に服するように構成してある。細長基板８´ｐは、中空部に嵌め込んだ取り外し自在のキャップ５´ｐ及びキャップ５´ｑ（図８参照）により固定軸５´に対して固定してある。表示装置１Ａによれば、ＬＥＤの数が透光板の数と同数（ここでは、３個）あれば足り、各透光板の図柄数と等しいだけの数が必要な表示装置１に比べてＬＥＤの数が少ない点に特徴がある。
【００４１】
（本実施形態の第２変形例）
図１１及び１２に基づいて説明する。図１１及び１２に示す表示装置１Ｂが前述した表示装置１と主として異なるのは、外ギヤの形状とＬＥＤの取付位置である。したがって、以下においては、表示装置１Ｂが表示装置１と異なる部分についてのみ説明を行い、両者に共通する部分については図４と同じ符合を図１１及び１２に使用するにとどめ、それらの説明を省略する。すなわち、表示装置１Ｂの外ギヤ７８ａには、その幅方向中央に位置する環状溝７８´ａが、同じく外ギヤ７８ｂには環状溝７８´ｂが、さらに同じく外ギヤ７８ｃには環状溝７８´ｃが、それぞれ形成してある。環状溝７８´ａ、７８´ｂ及び７８´ｃは、各透光板３ａ，３ｂ，３ｃの外周近傍に固定部材（図示を省略）を介して配したＬＥＤ８´´ａ，８´´ｂ及び８´´ｃから、それぞれ光りを投射可能に構成してある。ＬＥＤ８´´ａ，８´´ｂ及び８´´ｃの制御は、制御部２３１に受け持たせてある。表示装置１Ｂによれば、表示装置１Ａと同様にＬＥＤの数が少なくて済むという利点とともに、外ギヤ７８ａ，７８ｂ及び７８ｃとアイドルギヤ７７ａ，７７ｂ及び７７ｃとの噛み合わせを安定に保ちやすい利点を備えている。すなわち、環状溝７８´ａ、７８´ｂ及び７８´ｃの各々を挟んで両脇に外ギヤ７８ａ，７８ｂ及び７８ｃが位置するため、これらとアイドルギヤ７７ａ，７７ｂ及び７７ｃとの噛み合わせ面が両脇に形成され、これが、噛み合わせの安定に貢献する。
【００４２】
（本実施形態の第３変形例）
図１３に基づいて説明する。第３変形例に係る透光板が、図１２に示す透光板と異なるのは、環状溝及びＬＥＤの位置である。すなわち、後者では中央に位置した環状溝を、前者では何れか一方の脇に配することもできる。すなわち、環状溝７８´´Ｃは、外ギア７８Ｃの一方の脇（図１３の左脇）に設け、これに対応してＬＥＤ８´´Ｃも左脇に設けてある。この構成によれば、第３透光板３ｃのドット３４´ｃｄ，・・全体に光りを当てることができるので、その深さ寸法を小さくしても充分な拡散光量を得ることができる。第１透光板３ａ及び第２透光板３ｂの構造も、第３透光板３ｃの構造と同じである。
【図面の簡単な説明】
【００４３】
【図１】本発明に係る表示装置を備えたパチンコ機を示す正面図である。
【図２】図１に示す表示装置を示す正面図である。
【図３】図２に示す表示装置のＸ−Ｘ断面図である。
【図４】図１に示す表示装置を示す斜視図である。
【図５】図１に示す表示装置が備える透光板の一部（個別透光板）を示す正面図である。
【図６】表示装置の電気的構成を、図１に示すパチンコ機との関係で示すブロック図である。
【図７】図１に示すパチンコ機における遊技の流れを示すフローチャートである。
【図８】表示装置の第１変形例を図３と同じ方法で示す断面図である。
【図９】図８に示す表示装置の固定軸の斜視図である。
【図１０】図９に示す固定軸のＹ−Ｙ断面図である。
【図１１】表示装置の第２変形例を図４と同じ方法で示す斜視図である。
【図１２】図１１に示す表示装置の平面図である。
【図１３】表示装置の第３変形例を、図１２と同じ方法で示す斜視図である。
【符号の説明】
【００４４】
１，１Ａ，１Ｂ                  表示装置
２                              仕切板
３ａ                            第１透光板（個別透光板）
３ｂ                            第２透光板（個別透光板）
３ｃ                            第３透光板（個別透光板）
４ａ，４ｂ，４ｃ                ホイール
５，５´                        固定軸
５´ａ，５´ｂ，５´ｃ          軸孔
５´ｐ，５´ｑ                  キャップ
７ａ，７ｂ，７ｃ                個別駆動手段
８ａ，８ｂ，８ｃ                ＬＥＤ群
９ａ，９ｂ，９ｃ                検出構造
２０ａ，２０ｂ，２０ｃ          開口部
３４ａ，３４ｂ，３４ｃ          個別図柄群
７１ａ，７１ｂ，７１ｃ          モータ
７５ａ，７５ｂ，７５ｃ          ギヤボックス
７６ａ，７６ｂ，７６ｃ          駆動ギヤ
７７ａ，７７ｂ，７７ｃ          アイドルギヤ
７８ａ，７８ｂ，７８ｃ          外ギヤ
７８´ａ，７８´ｂ，７８´ｃ    環状溝
１０１                          モータ制御プログラム（駆動制御手段）
１０２                          ＬＥＤ制御プログラム（光源制御手段）
２００                          パチンコ機
２０２                          設置フレーム
２０３                          前面フレーム
２０５                          遊技盤
２０５ｈ                        取付孔
２１２                          特定入賞口
２１４                          一般入賞口
２１６                          大入賞口
２３１                          制御部
２３３                          ＣＰＵ
２３４                          ＲＯＭ
２３５                          ＲＡＭ
２３７                          特定入賞球検知センサ
２３８                          一般入賞球検知センサ
２３９                          大入賞口検知センサ
【図１】
2005080727.tif 000003
【図２】
2005080727.tif 000004
【図３】
2005080727.tif 000005
【図４】
2005080727.tif 000006
【図５】
2005080727.tif 000007
【図６】
2005080727.tif 000008
【図７】
2005080727.tif 000009
【図８】
2005080727.tif 000010
【図９】
2005080727.tif 000011
【図１０】
2005080727.tif 000012
【図１１】
2005080727.tif 000013
【図１２】
2005080727.tif 000014
【図１３】
2005080727.tif 000015